(57)【要約】  本発明はペーパーログを製造するための巻返し機及び巻返し方法に関する。本発明の巻戻し機は、所定の通路に沿って連続するペーパーウェブ（２）を供給する手段と、前記ペーパーウェブ（２）を引き裂きによって分離する所定長さの部分又はシートに該ペーパーウェブ（２）を細分するために一連の不連続な横方向切断作業を行なう手段と、ログを形成するために所定数のシートがその上に巻かれる筒状のコア（１）を供給する手段と、コア供給ステーション（Ａ）及びログ（ＲＯ）が形成されるステーションとの間に延伸するコアガイドチャンネル（Ｃ）とからなり、前記チャンネル（Ｃ）がペーパーウェブ（２）を供給するために協働する固定ガイド及びローラ（ＲＡ）によってそれぞれ部分的に境界が定められるようにしたペーパーログを製造するようにしたものである。
2005532238.tif 000002
【特許請求の範囲】
【請求項１】
所定の通路に沿って連続するペーパーウェブ（２）を供給する手段と、前記ペーパーウェブ（２）を引き裂きによって分離する所定長さの部分又はシートに該ペーパーウェブ（２）を細分するために一連の不連続な横方向切断作業を行なう手段と、ログを形成するために所定数のシートがその上に巻かれる筒状のコア（１）を供給する手段と、コア供給ステーション（Ａ）及びログ（ＲＯ）が形成されるステーションとの間に延伸するコアガイドチャンネル（Ｃ）とからなり、前記チャンネル（Ｃ）がペーパーウェブ（２）を供給するために協働する固定ガイド及びローラ（ＲＡ）によってそれぞれ部分的に境界が定められるようにしたペーパーログを製造する巻返し機であって、この巻返し機は前記チャンネル（Ｃ）内に所定量の接着剤を塗布することのできる手段（４，５；３２，３１）を含み、該手段は前記チャンネル（Ｃ）の対応する所定点上に位置しかつ作動する第１手段及び第２手段（４，３１；５，３２）を有し、前記所定点が前記コア（１）を供給するためのステーション（Ａ）と前記ログ（ＲＯ）を形成するためのステーションの間に位置するようにしたことを特徴とするペーパーログを製造する巻返し機。
【請求項２】
前記コア（１）のそれぞれの表面に接着剤の所定量を塗布する第１手段及び第２手段（４，５）を有し、該コアが前記チャンネル（Ｃ）に沿って前進しかつ丸められるように作動することを特徴とする請求項１記載の巻返し機。
【請求項３】
前記第１手段及び第２手段が異なる時点で作動することができるようにしたことを特徴とする請求項２記載の巻返し機。
【請求項４】
前記第１手段及び第２手段（４、５）が順番に動作可能であり、当該順番動作は形成される次のログのシートから形成中のログ（ＲＯ）の最後のシ−トを分離する切断線（ｐ）の移動を含むことを特徴とする請求項１又は２記載の巻返し機。
【請求項５】
前記のローラ（ＲＡ）の表面から前記ペーパー（２）の分離を促進する圧縮空気手段（７；ＶＵ）を有することを特徴とする請求項１から４のいずれか１項に記載の巻返し機。
【請求項６】
圧縮空気装置が、ログ（ＲＯ）形成ステーションの上流側に位置することを特徴とする請求項５記載の巻返し機。
【請求項７】
前記ペーパーウェブ（２）の異なる点に所定量の接着剤を塗布するための第１手段及び第２手段（３０，３１）を有することを特徴とする請求項１記載の巻返し機。
【請求項８】
前記第１手段及び第２手段（３０，３１）が、同時に作動可能であることを特徴とする請求項７記載の巻返し機。
【請求項９】
所定の通路に沿って連続するペーパーウェブ（２）を供給する工程と、前記ペーパーウェブ（２）を引き裂きによって分離される所定長さの部分又はシートに細分するために一連の不連続な横方面切断作業を行なう工程と、ログを形成するために所定数のシートがその上に巻かれる筒状のコア（１）をコア供給ステーション（Ａ）及びログ（ＲＡ）が形成されるステーションとの間に延伸するコアガイドチャンネルに沿って供給する工程と、からなり、前記チャンネル（Ｃ）がペーパーウェブ（２）を供給するために協働する固定ガイド及びローラ（ＲＡ）によってそれぞれ部分的に境界が定められるようにしたペーパーログの製造方法であって、この方法は、前記チャンネルに沿って通過し、即ち、前進し及び丸められるコア（１）のそれぞれの表面上に、又は前記チャンネル（Ｃ）に沿って移動するペーパーウェブ（２）の所定点又は所定端上に所定量の接着剤を塗布する工程を有し、この接着剤の塗布が、コア供給ステーション（Ａ）とログ（ＲＯ）形成ステーションとの中間に位置する前記チャンネル（Ｃ）の少なくとも１点を介して各コア（１）の通過に対応して行なわれるようにしたことを特徴とするペーパーログの製造方法。
【請求項１０】
前記接着剤の塗布が、前記チャンネル（Ｃ）の二つの異なる点を介する前記コア（１）のそれぞれの通過に対応して行なわれることを特徴とする請求項９記載のペーパーログの製造方法。
【請求項１１】
前記接着剤の塗布が、前記コア（１）のそれぞれの二つの異なる領域（ａ、ｑ）に関して行なわれることを特徴とする請求項９又は１０記載のペーパーログの製造方法。
【請求項１２】
前記接着剤の塗布が、前記コア（１）のそれぞれの二つの正反対に位置する領域（ａ、ｑ）に関して行なわれることを特徴とする請求項９又は１０記載のペーパーログの製造方法。
【請求項１３】
前記コア（１）のそれぞれの領域（ａ、ｑ）に接着剤を塗布する作業の間に、形成される次のログの最初のシートから形成中のログ（ＲＯ）の最後のシートを分離するペーパー切断線（ｐ）の移動を行なうことを特徴とする請求項９から１２のいずれか１項記載のペーパーログの製造方法。
【請求項１４】
前記コア（１）のそれぞれに対して、前記チャンネル（Ｃ）に沿いかつ形成中のログ（ＲＯ）の最後のシートの端（ｑ'）上に、前記の切断線から所定距離だけ離して、接触させることによって接着剤を塗布することを特徴とする請求項９から１３のいずれか１項記載のペーパーログの製造方法。
【請求項１５】
前記の接着剤の塗布が、前記ペーパーウェブ（２）に関して、前記チャンネル（Ｃ）の所定点を介し、前記コア（１）の通過に基づいて行なわれることを特徴とする請求項９記載のペーパーログの製造方法。
【請求項１６】
対応するコア（１）の表面と前記ガイド（３）の固定表面との間に前記最初のシートを適合させた結果としてペーパーが張った状態となることによって、形成される次のログの最初のシートから、形成中のログ（ＲＯ）の最後のシートの引き裂き動作による分離工程を含むことを特徴とする請求項９から１５のいずれか１項記載のペーパーログの製造方法。
【発明の詳細な説明】
【技術分野】
【０００１】
本発明は、種々の大きさのペーパーロール（専門用語では、いわゆる「ログ」）を製造する巻返し機及び方法に関する。
【背景技術】
【０００２】
ログの製造にあたっては、所定の通路に沿って連続するペーパーウェブの供給の必要性が知られている。前記通路においては、引き裂きによって分割される所定長さの部分又はシートにウェブを細分するために、ウェブに対して不連続な横方向切断作業が行なわれる。
【０００３】
ログの形成に際しては、筒状カードボードスプール（一般的には「コア」と呼ばれる）を用い、その表面には所定量の接着剤が供給され、形成されるログの最初のシートの接着を可能とする。
【０００４】
前記ログの形成は、そのコアを駆動する巻取りローラを使用する。そのコアにはペーパーが回転しつつ巻き取られ。このログ形成の過程は、所定量のペーパーがコアに巻かれると終了する。この時点で、次のログの形成が始まる。
【０００５】
前記ログの形成が完了すると、当該巻きつけられたログが自然に解けてしまうのを避けるために、下側にあるシートの上にそれぞれのログの最後のシートを接着することが必要となる。このタイプの接着は、「端部の閉鎖」と言われる。
【０００６】
この目的を達成するために、ログ形成ユニットの下流部分には適切な接着装置が設けられ、この接着装置には全ての形成されたログが供給される。それぞれのログは、後工程で横方向に切断され、それによって商業規格の複数のペーパーロールが得られる。
【０００７】
ログ製造用巻返し機は、特許文献１に詳細に記述されている。
【０００８】
従って、ログ形成に関する上述した技術は、接着のための補助的な装置を必要とする。この補助的な装置は、ランニングコストに関して大きな負担となり、かつ製造システムに関してはより広いスペースが必要となる。
【０００９】
また、上記技術に関しては、更なる考慮が必要である。考慮する必要のある一つの重要な観点は、形成されるログの最初のシートを固定する必要性のため、コアに接着剤を塗り広げるための手順に関するものである。現在知られている機械では、この手順は、巻取り領域の外で次のように行なわれる。コアがペーパーウェブと接触する領域にコアが導入される前に、ログの形成のために、後工程で使用されるコアに接着剤が塗布される。この作業モードは、機械が長時間停止する場合、コア上に存在する接着剤が乾いてしまうという事態を招来することとなる。この様な事態は、適切に修正されないと、欠陥のある工程を導入してしまうということを認識する必要がある。事実、このタイプの機械では、この様な事態を考慮して、作業者は事前に接着剤を塗布したコアを手作業で取り除かなければならない。
【００１０】
コアに塗布された接着剤に再度関連して、巻取りローラの間でログのサイズが次第に大きくなる段階に関して更に考察する。コアに塗布された接着剤の重量は、コアが、やや太い線上で長手方向に供給される場合、このコアの「アンバランス」の原因となり、その速度を考慮した時、形成の過程においてログの強い振動を引き起こしてしまう。この現象は、自動的に強化され、かつコアが軸線から外れた状態のログを形成してしまうこととなる。
【特許文献１】ＥＰ６９４０２０
【発明の開示】
【発明が解決しようとする課題】
【００１１】
本発明の主たる目的は、前記の欠点を克服することである。
【課題を解決するための手段】
【００１２】
本発明によれば、独立請求項において開示された原理を採用することによって、上記効果が達成される。更なる特徴は、従属請求項に記述されている。
【発明の効果】
【００１３】
本発明は、コストとスペ−スに関して、顕著な利点を有して、「端部閉鎖」タイプの接着装置の不使用を可能にする。更には、上述した乾燥の問題と「アンバランス」の問題を克服することを可能にする。
【発明を実施するための最良の形態】
【００１４】
本発明の上記した利点及び他の特徴は、添付図面に関連して下記記述を読むことによって当業者であれば良く理解されるであろう。下記記述は、本願発明の実用的な例示としてのみ示されるものであり、限定的な意味合いで考慮されるべきでない。
【００１５】
本発明に係る機械の基本構造について、添付図面を参照して以下に説明する。
本発明機械は：
コア（１）を供給するためのステーション（Ａ）；
コア（１）を収納するための収納部（Ｍ）；
収納部（Ｍ）とステーション（Ａ）の間に延伸するチェーン供給システム（Ｎ）によって、収納部から取り除かれたコア（１）をステーション（Ａ）に供給するための手段；
コア（１）の供給のためのステーション（Ａ）を具備した所定の通路に沿って配設された複数の供給、駆動及び切断ローラ（Ｒ１，Ｒ２，Ｒ３，ＲＡ）によって、ペーパー（２）を供給し及び横方向に事前切断し又はミシン目を入れるための手段；
二本の巻取りローラ（ＲＡ，Ｒ４，Ｒ５）によってコア（１）にペーパー（２）を巻き取るための手段；
を有し、その二本のローラ（Ｒ４、Ｒ５）は、固定曲線ガイド（３）とローラ（ＲＡ）の表面によって境界が定められているチャンネル（Ｃ）の出口で重複するように構成されている。
【００１６】
ローラ（ＲＡ）は、後述するように、ペーパー（２）の供給及びコア（１）へのその巻きつけの二つの機能を有する。
【００１７】
上記チャンネル（Ｃ）は、ペーパー（２）によって被覆される通路の最終部分、及びコア供給ステーション（Ａ）からチャンネル（Ｃ）の出口に移動する各コア（１）が通過する通路の境界を定める。
【００１８】
本発明においては、第１及び第２手段（４、５）を、チャンネル（Ｃ）に導入された各コア（１）の表面に所定量の接着剤を塗布するために設けるのが有利である。この接着剤塗布手段は、正確な一連の順番に従いチャンネル（Ｃ）に対応して作動する。この接着剤塗布手段は、形成過程にあるログ（ＲＯ）の最後のシートに対して最初の接着剤塗布を行い、それから、チャンネル（Ｃ）の中に適切に導入された対応するコア（１）に新しいログの最初のシートを接着するために接着剤の塗布を行なう。
【００１９】
後述するように、第１及び第２手段（４，５）による接着剤の塗布は、形成される次のログの最初のシートから、形成過程にあるログ（ＲＯ）の最後のシートを分離するミシン目線（ｐ）の通過によって変更する。
【００２０】
より詳しくは、図３−図１０を参照して下記に説明するように、通常の作業が行なわれる。
【００２１】
形成中のログ（ＲＯ）のコア（１）に所定数のシートを巻いた後、ステーション（Ａ）で待機中のコア（１）を導入するレバー（６）（図３）は、その軸（６０）の周りを回転しかつ後方から当該コアを押圧することにより、チャンネル（Ｃ）の中に一つのコア（１）を導入する作業を行う。この作業段階の後、チャンネル（Ｃ）の反対側で、ログ（ＲＯ）の形成が続き、その結果、巻取りローラ（ＲＡ，Ｒ４，Ｒ５）によって、関連するコア（１）にペーパーが巻き続けられる。
【００２２】
新たにチャンネル（Ｃ）に導入されたコア（１）は、前進を始めるとともに、ローラ（ＲＡ）の表面との接触によって同時に回転を始める。このローラ（ＲＡ）は矢印（Ｕ）で示すように、それ自身の軸を中心として回転する。
【００２３】
コア（１）が、チャンネル（Ｃ）内に導入される工程において、ローラ（Ｒ５）の角速度はローラ（ＲＡ）及びローラ（Ｒ４）の角速度に関連して減少する。このことは、形成中のログ（ＲＯ）をローラ（ＲＡ）の表面から動かしてしまう。したがって、ローラ（Ｒ４）の角速度はローラ（Ｒ５）の角速度と同一に設定される。ローラ（Ｒ５）及びローラ（ＲＡ）間の速度の違いは、張力の低下状態、したがって、ローラ（ＲＡ、Ｒ５）の上流側のペーパーウェブ（２）の緩み状態を決定し、そしてローラ（ＲＡ）の表面からのペーパーの分離を生起する（図４）。この分離は、コア（１）と巻取りローラ（Ｒ４、Ｒ５）間に延伸する長さにわたってチャンネル（Ｃ）に沿って発生する。ローラ（ＲＡ）からのペーパーの分離は、ローラ（ＲＡ）の表面と巻取りローラ（Ｒ４、Ｒ５）のステーションとの間で作動するノズル（７）による圧縮空気の一吹きによってより容易に行われる。ノズル（７）による一吹きに代わるものとして、ガイド（３）側における吸引操作を行うこともできる。添付図面において、（ＶＵ）は吸引装置を示す。
【００２４】
前記チャンネル（Ｃ）に沿って前進することによって、コア（１）が第１接着剤塗布手段（４）の位置に到達すると、それが作動を開始し、したがって、所定量の接着剤がコア（１）の表面に塗布される（図５）。このコア（１）が第２接着剤塗布手段（５）の位置に到達すると、それは同様に作動を開始する（図６）。第１手段（４）と第２手段（５）との距離は、適宜設定され、その結果、第２手段（５）の位置においてコア（１）は第１手段（４）の位置に関する角度だけ回転する（図６）。いずれにしても、ペーパー（２）のミシン目線（ｐ）は、第１及び第２接着剤塗布手段（４，５）の作動が行われる領域（ｑ、a）間に位置する。このように、第１手段（４）による接着剤の塗布は、形成中のログ（ＲＯ）の最後のシートに対して行われる。
【００２５】
図６に詳細に示されるように、コア（１）が、その前進およびチャンネル（Ｃ）に沿う巻き上げによって、第２接着剤塗布手段（５）に到着すると、ペーパーウェブ（２）の領域（ｑ）は、第１接着剤塗布手段（４）の動作によって既に接着剤が塗布されているコア（１）の領域と接触する。前記接着剤塗布手段（４、５）の位置によって、領域（ｑ）は、第２接着剤塗布手段（５）が作動するコア（１）の領域に関して適宜設定された角度によってオフセットが生ずる。図６は、前記接着剤塗布手段（４，５）の位置が、該手段（４，５）によって処理された領域（ｑ）（a）がコア（１）において正反対となり、その角度が約１８０°となる場合を示す。
【００２６】
コア（１）はチャンネル（Ｃ）に沿って前進しロール状に巻かれ、第１接着剤塗布手段（４）によって塗布された大部分の接着剤はペーパーウェブの領域（ｑ'）に移行する。前記領域（ｑ）が前記ログ（ＲＯ）の端部を形成するミシン目線（ｐ）の下流にある限り、前記領域（ｑ）は形成中のログ（ＲＯ）の最後のシートに含まれる。実際上、形成中のログ（ＲＯ）の最後のシートの端部（ｑ'）は、上記線（ｐ）からある距離だけ離れた点において、このように接着され、即ち、接着剤が供給される。コア（１）はログ（ＲＯ）の最後のシートに接着剤を塗布する手段の一部を構成する。何故ならば、少なくとも部分的に（充分な量であるけれども）、接着剤は接触によってコア（領域ｑ）からペーパー（端部又は領域ｑ'）へ移行されるからである。
【００２７】
コア（１）は、その通路に沿って前進を続け、第２接着剤塗布手段（５）を通過し、そしてチャンネル（Ｃ）に沿ってロール状となって、当該コア（１）の領域（a）はミシン目線（ｐ）に続くシートの領域においてペーパーウェブ（２）と接触する。このシートは形成される次のログの第１のシートである。領域（a）における接着剤は、ペーパーウェブ（２）をコア（１）に接着する作用を行う。当該ペーパーウェブは、前述したごとく、ローラ（ＲＡ）に対するローラ（Ｒ４、Ｒ５）の速度の減少によってコア（１）とチャンネル（Ｃ）の間の領域において多少弛緩する。
【００２８】
領域（a）に存在する接着剤によって行われるペーパーウェブ（２）のコア（１）への接着に伴って、ペーパーウェブ（２）の弛緩効果は、コア（１）のロール状の巻取り中に、コア（１）へのペーパーウェブ（２）の巻取りも徐々に行われる。その後、ガイド（３）の終端部分（３０）において、形成される次のログの最初のシートは当該部分（３０）とコア（１）の表面との間で（コア（１）のロール化及び前進によって）適合する（図８参照）。上記したこと及び巻取りローラ（Ｒ４、Ｒ５）が回転を続けるという事実によって、ペーパーウェブ（２）の部分は、形成中にガイド（３）の表面（３０）とログ（ＲＯ）の間で圧縮され、図９に示したように、ミシン目線（ｐ）において引き裂かれるようにその部分に張力がかかる。
【００２９】
巻取りローラ（Ｒ４、Ｒ５）は回転を引き続き行い、ローラ（Ｒ４）の下側へログの最後のシートの接着剤塗布部分の通過によって、ログ（ＲＯ）の形成を完了する。このことにより、ログ（ＲＯ）のすぐ下方に位置するログ（ＲＯ）の最後のシートへの接着剤塗布が行われる。この時点で、ローラ（Ｒ４）の速度は増加され、そして巻取りローラ（Ｒ４、Ｒ５）間の速度の違いによって、形成中のログ（ＲＯ）は離脱し、巻取りローラ（Ｒ４、Ｒ５）の下流側の排出ガイド（９）に沿ってスライドする。この工程に続いて、ローラ（Ｒ４、Ｒ５）は再び走行速度に達し、そしてログ（ＲＯ）の場所は、ガイド（３）の端部（３０）方面に前進するコア（１）によって取ってかわられ、新しいログの形成が行われる。第１及び第２接着剤塗布手段の介在は上記した作用を行うため互いに適切に同期させられており、かつペーパー（２）は、チャンネル（Ｃ）に沿ってコア（１）の前進が行われる間にローラ（ＲＡ）の表面に連続的に供給される。
【００３０】
巻取りローラ（Ｒ４）は、機械の固定部分に回動自在に取付けられている対応する支持アーム（４００）に装着され、かつ当事者にとって既知の態様で下側巻取りローラ（Ｒ５）に近接し又は当該ローラ（Ｒ５）から離間するように作動するアクチュエータ（４１０）と協働している。
【００３１】
上記した操作は、当業者にとっては既知のプログラム手段によって自動的に行われるが、その詳細な説明は省略する。
【００３２】
上述した機械及び操作手順の説明から、プラントに対する直接の経費削減及びより少ないスペースの両方の観点から導かれる明白な経済的利点を考慮して、巻取りローラの下流側の接着剤塗布手段の使用を省くことが可能であることがわかる。また、接着剤をコアに移行する新規なシステムから導かれる利点も明らかである。巻取り領域内で行われる接着剤塗布は、接着剤の乾燥に起因する問題を解消し（接着剤はその作用を直ちに行うことによって乾燥することはない）。そして２本の長手方向の線状塗布を行うことによって「アンバランス」問題は減少する。何故ならば、接着剤を塗布した領域はコア（１）の表面に対して正反対の実質的に２本の線を形成するからである。
【００３３】
第１接着剤塗布手段（４）は、図１１及び図１２に示したように、ガイド（３）の下方に位置する液状接着剤支持容器（４０）と、及び剛性伝達手段（４３、４４、４５）であるチェーンを介して結合された対応するアクチュエータ（４２）によってコントロールされた状態で、チャンネル（Ｃ）に対して接離自在に移動可能でありかつ上記支持容器（４０）内に設けられたブレード（４１）とを有している。図１１に示した状態において、ブレード（４１）は支持容器（４０）内で完全に保持されている。図１２に示した状態において、ブレード（４１）は、アクチュエータ（４２）のロッドの退避により、及び伝達手段（４３、４４、４５）の対応する動き（矢印で示した）によって上昇せしめられる。ブレード（４１）の上昇により、その時点でチャンネル（Ｃ）に沿って移動しているコア（１）の表面に接着剤が塗布される。ガイド（３）には細長い溝が適宜形成されており、ブレード（４１）の上昇及びコア（１）の表面とブレードとの接触を可能とする。図１３のＡ、図１４のＡ及び図１５のＡに示したようにブレード（４１）の上側エッジは、不連結状態、即ち、歯が付けられている（図１３のＡ及び図１４のＡ）か、又は連続（図１５のＡ）とすることができる。その上、図１３のＢ，図１４のＢ、図１５のＢに示したごとく、ブレード（４１）の上側エッジは上方に向かって凹部を備えた凸形状とすることができる。
【００３４】
第２接着剤塗布手段（５）は第１接着剤塗布手段（４）と同様の構造を有しており、その説明は省略する。
【００３５】
各ログ（ＲＯ）のシート数及びその長さは所望によって決定されることはいうまでもない。
【００３６】
本発明の更なる実施形態においては、図１６に示したごとく、接着剤は、ミシン目線（ｐ）の上端側及び下端側のペーパーウェブ（２）に接着剤を直接塗布するための２本の射出装置（３２、３１）によって塗布される。このミシン目線（ｐ）は形成中のログ（ＲＯ）の最後のシートを次に形成されるログの最初のシートから分離するように作用する。図１６に示したように、上記射出装置（３２、３１）の動作は同時に行われる。
【００３７】
上記した例においては、射出装置（３２、３１）はお互いに所定間隔をおいてチャンネル（Ｃ）内に位置する。
【００３８】
図１７〜図２８に示した例においては、チャンネル（Ｃ）の固定ガイドは２つの部材から構成されている。
【００３９】
第１部材（３a）は、管状コア（１）を供給する部分（Ａ）の近接した下端側に位置しかつ閉じたリング状の下方に位置するコンベアベルト（３００）に対向して設けられている。
【００４０】
第２部材（３ｂ）は、ローラ（ＲＡ）に対向し、第１部材（３a）及び上記ベルト（３００）の下端側に位置している。図１７〜図２２に示した概略構造と図２３〜図２８に示した概略構造は、接着剤塗布手段の位置が互いに異なるのみである。この接着剤塗布手段は、いずれの場合でも、チャンネル（Ｃ）内で作動しかつ互いに所定の距離だけ離れて位置している。接着剤塗布手順は、図１７〜図２２に示したように実施され、第１接着剤塗布手段はブレードタイプであり、かつ第２接着剤塗布手段は射出装置タイプである。
【００４１】
実際上、全ての構成要素は、採用された解決手段の範囲から逸脱せずかつ本発明に与えられる保護の範囲にとどまることなく、使用される材料の形状、寸法、組成及び性質に関して均等の手法の範囲内において変更可能である。
【図面の簡単な説明】
【００４２】
【図１】本発明に係る機械の概略説明図である。
【図２】図１に示した機械の拡大詳細図である。
【図３】図１に示した機械による一連の作業工程における第１工程を示す概略図である。
【図４】図１に示した機械による一連の作業工程における第２工程を示す概略図である。
【図５】図１に示した機械による一連の作業工程における第３工程を示す概略図である。
【図６】図１に示した機械による一連の作業工程における第４工程を示す概略図である。
【図７】図１に示した機械による一連の作業工程における第５工程を示す概略図である。
【図８】図１に示した機械による一連の作業工程における第６工程を示す概略図である。
【図９】図１に示した機械による一連の作業工程における第７工程を示す概略図である。
【図１０】図１に示した機械による一連の作業工程における第８工程を示す概略図である。
【図１１】作業停止中又は待機中の接着剤塗布用第１手段を示す概略縦断面図である。
【図１２】作業中の図１１に示した手段を示す概略縦断面図である。
【図１３】Ａは、図１１及び図１２に示した手段の薄いかつ離間したブレードの可能な実施の形態の部分側面図、及びＢは、Ａのブレ−ドの正面図である。
【図１４】Ａは、図１１及び１２の手段の大きな歯を有するブレ−ドの可能な実施形態の部分側面図、及びＢは、Ａのブレードの正面図である。
【図１５】Ａは、図１１及び１２に示した手段の連続した歯のないブレードの可能な実施形態の部分側面図、及びＢは、Ａのブレードの正面図である。
【図１６】本発明に係る機械の更なる実施形態を示す概略図である。
【図１７】コアのためのガイドチャンネルの更なる実施形態を備えた本発明に係る機械による連続的な作業工程における第１の工程を示す概略図である。
【図１８】コアのためのガイドチャンネルの更なる実施形態を備えた本発明に係る機械による連続的な作業工程における第２の工程を示す概略図である。
【図１９】コアのためのガイドチャンネルの更なる実施形態を備えた本発明に係る機械による連続的な作業工程における第３の工程を示す概略図である。
【図２０】コアのためのガイドチャンネルの更なる実施形態を備えた本発明に係る機械による連続的な作業工程における第４の工程を示す概略図である。
【図２１】コアのためのガイドチャンネルの更なる実施形態を備えた本発明に係る機械による連続的な作業工程における第５の工程を示す概略図である。
【図２２】コアのためのガイドチャンネルの更なる実施形態を備えた本発明に係る機械による連続的な作業工程における第６の工程を示す概略図である。
【図２３】コアのためのガイドチャンネルの更なる実施形態を備えた本発明に係る機械による連続的な作業工程における第７の工程を示す概略図である。
【図２４】コアのためのガイドチャンネルの更なる実施形態を備えた本発明に係る機械による連続的な作業工程における第８の工程を示す概略図である。
【図２５】コアのためのガイドチャンネルの更なる実施形態を備えた本発明に係る機械による連続的な作業工程における第９の工程を示す概略図である。
【図２６】コアのためのガイドチャンネルの更なる実施形態を備えた本発明に係る機械による連続的な作業工程における第１０の工程を示す概略図である。
【図２７】コアのためのガイドチャンネルの更なる実施形態を備えた本発明に係る機械による連続的な作業工程における第１１の工程を示す概略図である。
【図２８】コアのためのガイドチャンネルの更なる実施形態を備えた本発明に係る機械による連続的な作業工程における第１２の工程を示す概略図である。
【符号の説明】
【００４３】
１：コア、  ２：ペーパーウェブ、３：ガイド、３a：第１部材、３ｂ：第２部材、４：第１接着剤塗布手段、５：第２接着剤塗布手段、６：レバー、７：ノズル、３２・３１：射出装置、４０：液状接着剤支持容器、４１：ブレード、４２：アクチュエータ、４３〜４５：  伝達手段、６０：軸、３００：コンベアベルト、  ４００：支持アーム、４１０：アクチュエータ、Ａ：ステーション、Ｃ：チャンネル、Ｍ：収納部、Ｎ：チェーン供給システム、ｐ：ミシン目線、  Ｒ１・Ｒ２・Ｒ３・ＲＡ：切断ローラ、ＲＡ・Ｒ４・Ｒ５：巻取りローラ、ＲＯ：ログ、ＶＵ：吸引装置。
【図１】
2005532238.tif 000003
【図２】
2005532238.tif 000004
【図３】
2005532238.tif 000005
【図４】
2005532238.tif 000006
【図５】
2005532238.tif 000007
【図６】
2005532238.tif 000008
【図７】
2005532238.tif 000009
【図８】
2005532238.tif 000010
【図９】
2005532238.tif 000011
【図１０】
2005532238.tif 000012
【図１１】
2005532238.tif 000013
【図１２】
2005532238.tif 000014
【図１３】
2005532238.tif 000015
【図１４】
2005532238.tif 000016
【図１５】
2005532238.tif 000017
【図１６】
2005532238.tif 000018
【図１７】
2005532238.tif 000019
【図１８】
2005532238.tif 000020
【図１９】
2005532238.tif 000021
【図２０】
2005532238.tif 000022
【図２１】
2005532238.tif 000023
【図２２】
2005532238.tif 000024
【図２３】
2005532238.tif 000025
【図２４】
2005532238.tif 000026
【図２５】
2005532238.tif 000027
【図２６】
2005532238.tif 000028
【図２７】
2005532238.tif 000029
【図２８】
2005532238.tif 000030
【国際調査報告】
2005532238.tif 000031
2005532238.tif 000032
2005532238.tif 000033